(57)【特許請求の範囲】
【請求項１】
前面枠の前面側に打球供給皿と下部貯留皿とを設けると共に、前面枠の裏面側に打球供給皿のパチンコ球を１個ずつ発射レールの発射部に供給する打球供給装置を設けてなるパチンコ機において、
前記打球供給皿には、パチンコ球を貯留する皿部が設けられ、該皿部にパチンコ球を一列に整列する整流部を形成し、
前記打球供給装置は、打球供給皿の整流部に連通する球入口と発射レールの発射部に開口する球出口とを有する傾斜通路と、該傾斜通路に上下に回動自在に軸支される供給制御部材とを備え、
前記傾斜通路に下部貯留皿に連通する球抜口を開設すると共に、該球抜口には常に付勢されて球抜口を閉じる位置と打球供給皿の球抜き操作によって球抜口を開放する位置とに往復移動自在な可動底体を配設して傾斜通路の一部を構成し、
前記供給制御部材は、下方に回動されたとき球入口から傾斜通路に流入する先頭のパチンコ球を可動底体上で受け止めて待機させる第１の球止部と、上方に回動されたとき可動底体上から移動するパチンコ球を受け止めると共に、下方に回動されたときそのパチンコ球を球出口から発射レールの発射部に送り出す第２の球止部とを設けてなることを特徴とするパチンコ機。
【発明の詳細な説明】
【０００１】
【発明の属する技術分野】
本発明は、前面枠の前面側に打球供給皿と下部貯留皿とを設けると共に、前面枠の裏面側に打球供給皿のパチンコ球を１個ずつ発射レールの発射部に供給する打球供給装置を設けてなるパチンコ機に関し、特に打球供給皿の球抜き時に打球供給装置内にパチンコ球が残らないようにすることができるようなパチンコ機に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個ずつ発射レールの発射部に供給するようにされている。一方、打球供給皿の底部には球抜孔が設けられると共に、該球抜孔にスライド板が配設されており、該スライド板を移動させて球抜孔を開放することにより打球供給皿のパチンコ球を下部貯留皿に抜き取ることができるようになっている。
【０００３】
【発明が解決しようとする課題】
ところで上記したパチンコ機にあっては、打球供給皿のパチンコ球を底部の球抜孔から直接に下部貯留皿へ抜き出すようにしているため、打球供給装置に導かれたパチンコ球は抜き取られないでそのまゝ残されてしまうという問題点があった。
【０００４】
そして、打球供給装置内に残されたパチンコ球を抜き取るためには、例えばその残されたパチンコ球を遊技盤面に打ち込まないように弱い弾発力で発射してファール口から下部貯留皿に戻して回収する等遊技者に面倒な操作を行わせる必要があった。
【０００５】
そこで、本発明は、打球供給皿のパチンコ球を下部貯留皿に抜き取る際に打球供給装置内に残されたパチンコ球を同時に下部貯留皿へ回収することができるようなパチンコ機を提供することを目的としている。
【０００６】
【課題を解決するための手段】
上記目的を達成するために、本発明のパチンコ機は、前面枠の前面側に打球供給皿と下部貯留皿とを設けると共に、前面枠の裏面側に打球供給皿のパチンコ球を１個ずつ発射レールの発射部に供給する打球供給装置を設けている。打球供給装置は、打球供給皿に連通する球入口と発射レールの発射部に開口する球出口とを有する傾斜通路と該傾斜通路に差渡した横軸に上下に回動自在に軸支される供給制御部材とを備える。
【０００７】
前記傾斜通路には下部貯留皿に連通する球抜口を開設し、該球抜口に常に付勢されて球抜口を閉じる位置と打球供給皿の球抜き操作によって球抜口を開放する位置とに移動自在な可動底体を配設している。
【０００８】
一方、前記供給制御部材は、自然状態では下方に回動するように重心が設けられると共に、打球杆に連動する連動レバーによって上方に回動されるようになっており、下方に回動されたとき球入口から傾斜通路に流入する先頭のパチンコ球を可動底体上で受け止めて待機させる第１の球止部と、上方に回動されたとき可動底体上から移動するパチンコ球を受け止める第２の球止部とを有し、下方に回動されたとき第２の球止部で受け止めたパチンコ球が傾斜通路の傾斜によって発射レールの発射部に転がるようになっている。
【０００９】
このため、打球供給皿のパチンコ球を下部貯留皿に抜き取るには、球抜き操作によって可動底体を付勢に抗して球抜口を開放する位置に移動させると打球供給皿のパチンコ球は打球供給装置の傾斜通路を流下して球抜口から下部貯留皿に排出されることになり、打球供給装置内にパチンコ球を残すことなく打球供給皿のパチンコ球をすべて抜き取ることができる。
【００１０】
【発明の実施の形態】
次に本発明の実施の形態を図面に従い説明する。図１は本発明に係るパチンコ機の正面図、図２はガラス枠及び前面板を開放して示すパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【００１１】
前記打球供給皿８は図３に示すように本体部１１と該本体部１１の前面外側を覆うカバー部材１２とから構成されている。本体部１１はパチンコ球を貯留する皿部１３と該皿部１３の上縁部分を囲う飾板部１４及び皿部１３の下方に延出する側板部１５とを有する。前記皿部１３は底部が一方に緩るやかに下り傾斜しその傾斜下部にパチンコ球が一列に整列される整流部１６が形成されており、該整流部１６の下流端が位置する前面板６には皿部１３のパチンコ球を前面板６の裏側に流出させる上部通孔１７が開設されている。
【００１２】
一方、前面板６の裏側には打球供給装置１８が設けられている。この打球供給装置１８は図４に示すようにケース体１９と供給制御部材２０とにより構成される。ケース体１９は本体部１９ａと側板部１９ｂとに二分割して形成し、そのそれぞれを合体してビス止め２１，２１することにより一体化される。このケース体１９の後側面には前面板６の上部通孔１７に合致する球入口２２が開設されている。また、ケース体１９の内部には球入口２２と連通しかつ発射レール３の発射部５に開口する球出口２３が形成された傾斜通路２４が設けられており、この傾斜通路２４に球抜口２５と該球抜口２５を開閉する可動底体２６が設けられている。
【００１３】
前記可動底体２６は常には図８（ａ）に示すように球抜口２５を閉じて傾斜通路２４の一部を構成するもので、ケース体１９の後側面であり、かつ球入口２２の下方部に形成された横長の開口部２７に左右方向へ往復移動自在に支持されている。また、球抜口２５は傾斜通路２４のパチンコ球を開口部２７に向けて流下させるように傾斜状に形成されており、該開口部２７が位置する前面板６には球抜口２５を通過するパチンコ球を前面板６の表側に流出させる下部通孔２８が開設されている。
【００１４】
前記供給制御部材２０は、傾斜通路２４の通路幅とほぼ等しい横幅の立体形とし、その後端部に円弧状曲面とした第１の球止部２９を設け、下面に円弧状凹曲面とした第２の球止部３０を形成している。また、前端部近くの側面に軸挿通孔３１を穿設し、該軸挿通孔３１に横軸３２を通して傾斜通路２４内に上下に回動自在に軸支されている。また、横軸３２より後方に位置した側部にはケース体１９の外側方へ突出する係合ピン３３を突設し、該係合ピン３３に重錘を兼ねたローラー３４を設けている。これによって、供給制御部材２０は自然状態のとき図６（ａ）に示すように横軸３２を中心として下方に回動し、球入口２２から傾斜通路２４に流入する先頭のパチンコ球を第１の球止部２９で受け止めて可動底体２６上で待機させるように重心が置かれている。
【００１５】
なお、前記係合ピン３３は図５に示すように発射レール３の下方であり、かつ遊技盤２の前面側に軸３５で回動自在に軸支された連動レバー３６の押上部３７に当接可能なようになっている。また、連動レバー３６は押上部３７の一端から下方に垂下するレバー部３８を一体に備え、このレバー部３８が打球杆４に固着された引掛杆３９と係合可能なように位置されている。
【００１６】
一方、図９に示すように前記打球供給皿８の側板部１５前面にはＬ字形をなすレバー部材４０が軸４１により揺動自在に軸支されると共に、操作部材４２が軸４３により上下方向へ押圧自在に軸支されている。前記レバー部材４０は軸４１より下方に長孔４４が形成されており、該長孔４４に可動底体２６の前面に突設したガイド片４５の突起部４６を臨ませてビス４７で係止している。また、レバー部材４０にはコイルばね４８が連結されており、常に可動底体２６を球抜口２５を閉じる位置に付勢している。
【００１７】
前記操作部材４２はレバー部材４０に接触状に位置して飾板部１４に開設した透孔４９から上方に突出されており、該操作部材４２を押圧してレバー部材４０を図９鎖線のように回動させることによつて可動底体２６を球抜口２５を開放する位置に移動させることができるようになっている（図８（ｂ）参照）。また、側板部１５には前面板６の下部通孔２８に連通するように球抜通路５０が形成されており、該球抜通路５０の下流端が位置する前面板６に下部貯留皿９に連通する流出孔５１が開設されている。なお、５２は可動底体２６のガイド片４５を臨ませるためのガイド長孔、５３は球抜口２５の側方に形成された球逃し部である。
【００１８】
次に、このように構成したパチンコ機の作用を説明する。打球供給皿８に貯留されるパチンコ球は整流部１６によって一列に整列されながら前面板６の上部通孔１７から球入口２２を経て打球供給装置１８の傾斜通路２４に流入し、その先頭のパチンコ球Ｂが供給制御部材２０の第１の球止部２９で受け止められて可動底体２６上で待機させられる（図６（ａ）及び図８（ａ）参照）。
【００１９】
この状態で打球杆４が図５鎖線のように発射準備位置に回動されると引掛杆３９によって連動レバー３６のレバー部３８が引寄せられて該連動レバー３６が軸３５を支点として上方へ回動し、これの押上部３７が打球供給装置１８の供給制御部材２０の係合ピン３３を上方へ押上げる。このため、供給制御部材２０が横軸３２を支点として図５鎖線のように上方に回動し、第１の球止部２９で受け止められていたパチンコ球Ｂは傾斜通路２４の傾斜に沿って移動し第２の球止部３０で受け止められる（図６（ｂ）参照）。
【００２０】
そして、この状態から打球杆４が図５鎖線で示す発射準備位置から同図実線の発射動作位置に回動すると連動レバー３６も同図実線位置に復帰し、応じて供給制御部材２０がこれの自重とパチンコ球Ｂの重量とで下方に回動する。このため、第２の球止部３０で受け止められていたパチンコ球Ｂは傾斜通路２４を流れて球出口２３から発射レール３の発射部５にスムーズに転がり出る（図６（ｃ）参照）。同時に後続する傾斜通路２４のパチンコ球Ｂ１を第１の球止部２９で受け止めて可動底体２６上で待機させるもので、その後は打球杆４の往復回動ごとに打球供給皿８のパチンコ球が１個ずつ確実に発射レール３の発射部５に供給される。
【００２１】
しかして、打球供給皿８内のパチンコ球を下部貯留皿９に抜き取るには操作部材４２を図９鎖線のように押圧してレバー部材４０をコイルばね４８の付勢に抗して回動させる。これによって、可動底体２６がレバー部材４０の長孔４４に係合する突起部４６を介して移動し球抜口２５を開放する（図７及び図８（ｂ）参照）。このため、供給制御部材２０の第１の球止部３０で可動底体２６上で待機されていたパチンコ球Ｂが球抜口２５に落下することになり、さらに後続する打球供給皿８内のパチンコ球が傾斜通路２４を流下して球抜口２５から開口部２７，前面板６の下部通孔２８を経て球抜通路５０に流出し流出孔５１から下部貯留皿９に排出される。このように操作部材４２の押圧による球抜き操作によって打球供給装置１８内のパチンコ球及び打球供給皿８内のパチンコ球を全て下部貯留皿９に抜き取ることができる。
【００２２】
そして、打球供給皿８内のパチンコ球を下部貯留皿９に抜き取った後、操作部材４２の押圧を解除するとコイルばね４８の付勢によってレバー部材４０が元の状態に復帰し、同時に打球供給装置１８の可動底体２６も図８（ａ）に示す元の位置に移動して球抜口２５を閉じる。なお、球抜きを途中で停止する場合に、図８（ｃ）鎖線で示すように可動底体２６と球抜口２５との間でパチンコ球が挟まれるようなことがあっても該パチンコ球は球逃し部５３によって前面板６の下部通孔２８に押し出されることになるため球噛みが起こらず確実に球抜口２５を閉じることができる。
【００２３】
【発明の効果】
以上、説明したところから明らかなように、本発明にかかるパチンコ機は、打球供給装置内にパチンコ球を残すことなく打球供給皿のパチンコ球を下部貯留皿に全て抜き取ることができるようにしたものであるから、従来のように打球供給装置内に残留するパチンコ球を下部貯留皿に回収するための面倒な操作を不要とすることができ、遊技者のサービスの向上を図れる。
【図面の簡単な説明】
【図１】本発明に係るパチンコ機の正面図である。
【図２】ガラス枠及び前面板を解放した状態を示すパチンコ機の下部斜視図である。
【図３】打球供給皿部分の分解斜視図である。
【図４】打球供給装置の分解斜視図である。
【図５】打球供給装置部分の断面正面図である。
【図６】（ａ），（ｂ），（ｃ）は打球供給装置の作用を説明する縦断側面図である。
【図７】打球供給装置の球抜口と下部貯留皿との関連構成を示す要部の縦断側面図である。
【図８】（ａ），（ｂ），（ｃ）は球抜き状態を示す断面平面図である。
【図９】球抜き操作部分の要部正面図である。
【符号の説明】
１          前面枠
３          発射レール
４          打球杆
５          発射部
８          打球供給皿
９          下部貯留皿
１８        打球供給装置
２０        供給制御部材
２２        球入口
２３        球出口
２４        傾斜通路
２５        球抜口
２６        可動底体
２９        第１の球止部
３０        第２の球止部
【図１】
0003935225.tif 000002
【図２】
0003935225.tif 000003
【図３】
0003935225.tif 000004
【図４】
0003935225.tif 000005
【図５】
0003935225.tif 000006
【図６】
0003935225.tif 000007
【図７】
0003935225.tif 000008
【図８】
0003935225.tif 000009
【図９】
0003935225.tif 000010